(57)【要約】【課題】テレビジョン受像機などの被制御機器の制御動作を確認しながら、誤入力操作することなく、容易に入力操作を行うことができるリモートコントロール送信機を提供する。【解決手段】バッテリーを収容し、操作者の手で握ることが可能な筒状本体と、筒状本体の平面に沿って、筒状本体の長手方向の一端から突出する薄板部とからケースを形成し、薄板部の平面に沿って入力操作を検出するタッチパネルシートを貼り付け、タッチパネルシートへの入力操作の移動軌跡から、操作者のジェスチャー入力を判定し、ジェスチャー入力に応じた制御データを被制御機器へ送信する。操作者は、制御内容を見ずに、ケースを握った親指を移動するジェスチャー入力で、被制御機器を遠隔制御できる。【選択図】図２
2010193107.tif 000002
【特許請求の範囲】
【請求項１】
操作者の入力操作を検出する入力操作手段と、
入力操作手段が検出した入力操作から被制御機器を遠隔制御する制御データを生成する制御データ生成手段と、
制御データ生成手段で生成された制御データを被制御機器へ送信する送信手段と、
入力操作手段と制御データ生成手段と送信手段の電源となるバッテリーを収容するケースと、を備えたリモートコントロール送信機であって、
ケースは、バッテリーを収容し、操作者の手で握ることが可能な筒状本体と、筒状本体の平面に沿って、筒状本体の長手方向の一端から突出する薄板部とからなり、
入力操作手段は、薄板部の平面に沿ってタッチパネルシートが貼り付けられ、タッチパネルシートへの入力操作を検出するタッチパネルであり、
制御データ生成手段は、タッチパネルシートへの入力操作の移動軌跡から、操作者のジェスチャー入力を判定し、ジェスチャー入力に応じた制御データを生成することを特徴とするリモートコントロール送信機。
【請求項２】
タッチパネルは、タッチパネルシートの入力操作位置での静電容量の変化から、その入力操作位置への入力操作を検出する静電容量式タッチパネルであるとを特徴とする請求項１に記載のリモートコントロール送信機。
【請求項３】
被制御機器は、テレビジョン受像機であり、
制御データ生成手段は、タッチパネルシートへのタッピング操作と、タッチパネルシート上の直交するＸ、Ｙ方向の移動操作の３種類のジェスチャー入力のいずれかにそれぞれ対応させて、テレビジョン受像機の電源、音量及びチャンネル切り替えを制御する制御データを生成することを特徴とする請求項２に記載のリモートコントロール送信機。
【請求項４】
送信手段は、制御データをＲＦ信号で送信するＲＦ送信モジュールであることを特徴とする請求項１乃至３のいずれか１項に記載のリモートコントロール送信機。
【発明の詳細な説明】
【技術分野】
【０００１】
本発明は、入力操作に応じた制御データを被制御機器へ送信し、制御データに従って被制御機器を遠隔制御するリモートコントロール装置に関し、更に詳しくは、簡単な入力操作で被制御機器を遠隔制御するリモートコントロール送信機に関する。
【背景技術】
【０００２】
テレビジョン受像器、エアコンなどの家電機器に向けて制御データを送信し、家電機器の動作を遠隔制御するリモートコントロール送信機は、操作者が制御しようとする制御内容を受け付けるために、制御データに対応させてケース上に多数の入力操作キーを配置したり、これらの入力操作キーとともに、非接触で入力操作を検出する静電容量式スイッチを配設している（例えば特許文献１）。
【０００３】
以下、この従来のリモートコントロール送信機１００を、図６を用いて説明すると、直方体状のケース１０１上に、入力操作手段として、家電機器の制御動作に対応させた多数のキー１０２・・と、回転スイッチ１０３と、回転スイッチ１０３の円板状操作板１０３ａの周囲に９０度の等角度間隔で配置された静電容量式タッチパネル１０４が配設されている。これらの入力操作手段で入力操作を検出すると、ケース１０１内の配線基板に実装されたマイコンによって入力操作に関連づけられた制御データが生成され、ＲＦ送信回路などの図示しない送信回路から、その制御データで変調した制御信号が家電機器へ送信される。
【０００４】
各キー１０２には、そのキー１０２を押圧操作した際にリモートコントロール送信機１００から送信される制御データを表す「１」「２」「３」等の数字が表示され、操作者はこの表示を目安に入力操作を行うキー１０２を選択して入力操作を行うことにより、そのキー１０２の入力操作に関連づけられた制御データが送信される。
【０００５】
また、回転スイッチ１０３は、円板状操作板１０３ａの回転軸の回転を検出する図示しないロータリエンコーダを備え、ロータリーエンコーダの出力から円板状操作板１０３ａへの回転操作を検出し、回転角度や回転方向に応じた制御データが送信回路から送信される。円板状操作板１０３ａの周囲に形成された静電容量式タッチパネル１０４は、指など入力操作を行う操作体の接近による静電容量の変化から、非接触で入力操作を検出するもので、例えば、円板状操作板１０３ａの右側に配置された特定の静電容量式タッチパネル１０４ａへ指を接近させると、その静電容量式タッチパネル１０４ａへの入力操作が検出され、マイコンにおいて、静電容量式タッチパネル１０４ａに関連づけられた音量を一段階上げる制御データが生成され、送信される。
【０００６】
このリモートコントロール送信機１００では、更に複数の静電容量式タッチパネル１０４への入力操作が一定時間内に検出されることから、円板状操作板１０３ａの周囲に沿って指でなぞる回転ジェスチャー入力を検出し、回転ジェスチャー入力に応じた制御データを送信することもできる。
【先行技術文献】
【特許文献】
【０００７】
【特許文献１】特開２００７−４２４８９号公報（明細書項目００１７乃至００１９、項目００４０、図５）
【発明の概要】
【発明が解決しようとする課題】
【０００８】
上述した従来のリモートコントロール送信機１００では、キー１０２の入力の際には、制御しようとする制御データが表示されたキー１０２を探し、そのキー１０２を入力操作する必要があることから入力操作が煩わしく、また、手元の表示を見て入力操作を行うので、被制御機器の動作を確認しながらの入力操作ができないという問題があり、この問題は、ケース１０１に液晶表示素子などの表示手段を取り付け、その表示手段へ制御内容を表示するリモートコントロール送信機についても共通する課題であった。
【０００９】
入力操作手段が、回転スイッチ１０３や静電容量式タッチパネル１０４である場合には、ケース１０１の平面の一部に液晶表示素子などの表示素子を取り付けて、入力操作に応じた制御内容を表示するリモートコントロール送信機も知られているが、表示素子の取り付けスペースを設けるためにケース１０１が大型化するとともに、手元の表示を見ながら入力操作をしなければならないという同様の問題がある。
【００１０】
そこで、被制御機器がテレビジョン受像機やテレビジョン受像機に接続された家電機器であれば、テレビジョン受像機のディスプレーに制御内容を表示させ、その制御内容を確認しながら、操作を行う方法も知られているが、テレビジョン受像機側に制御内容を表示させるプログラムや画像データを組み込む必要がある。加えて、ディスプレーに制御内容が重ねて表示されるので、ディスプレーの映像が見づらく、逆に、ディスプレーの表示を見ながら、手元の回転スイッチ１０３や静電容量式タッチパネル１０４を入力操作することとなるので、誤入力操作を行ったり、入力操作の都度、手元の操作位置を確認しながら入力操作を行うという煩わしさがあった。
【００１１】
本発明は、このような従来の問題点を考慮してなされたものであり、テレビジョン受像機などの被制御機器の制御動作を確認しながら、誤入力操作することなく、容易に入力操作を行うことができるリモートコントロール送信機を提供することを目的とする。
【００１２】
また、表示素子や複数のキーをケースに設けずに、ケースを片手で握りやすい小型形状とすることが可能なリモートコントロール送信機を提供することを目的とする。
【課題を解決するための手段】
【００１３】
上述の目的を達成するため、請求項１のリモートコントロール送信機は、操作者の入力操作を検出する入力操作手段と、入力操作手段が検出した入力操作から被制御機器を遠隔制御する制御データを生成する制御データ生成手段と、制御データ生成手段で生成された制御データを被制御機器へ送信する送信手段と、入力操作手段と制御データ生成手段と送信手段の電源となるバッテリーを収容するケースと、を備えたリモートコントロール送信機であって、ケースは、バッテリーを収容し、操作者の手で握ることが可能な筒状本体と、筒状本体の平面に沿って、筒状本体の長手方向の一端から突出する薄板部とからなり、入力操作手段は、薄板部の平面に沿ってタッチパネルシートが貼り付けられ、タッチパネルシートへの入力操作を検出するタッチパネルであり、制御データ生成手段は、タッチパネルシートへの入力操作の移動軌跡から、操作者のジェスチャー入力を判定し、ジェスチャー入力に応じた制御データを生成することを特徴とする。
【００１４】
ケースの筒状本体を握る指は、筒状本体の長手方向の一端から突出する薄板部を包み、その親指が自然にタッチパネルシートが貼り付けられる薄板部の平面上にのびるので、親指をタッチパネルシートに沿ってなぞるだけで、ジェスチャー入力の入力操作を行うことができる。
【００１５】
制御データ生成手段は、入力操作の操作位置から制御データを生成せずに、その移動軌跡から判定されるジェスチャー入力から制御データを生成するので、入力操作の操作位置を目視で確認することなく、正確に制御データが生成される。
【００１６】
請求項２のリモートコントロール送信機は、タッチパネルが、タッチパネルシートの入力操作位置での静電容量の変化から、その入力操作位置への入力操作を検出する静電容量式タッチパネルであることを特徴とする。
【００１７】
静電容量式タッチパネルは、非接触でタッチパネルシート上を移動する親指の移動軌跡を検出するので、ケースを握った親指を移動させるだけで、ジェスチャー入力の入力操作が検出される。
【００１８】
操作者の手で握ることが可能な筒状本体に、大容量の乾電池などのバッテリーを収容できるので、消費電力が大きい静電容量式タッチパネルを入力操作手段として使用しても、バッテリーを交換することなく、長時間使用できる。
【００１９】
請求項３のリモートコントロール送信機は、被制御機器が、テレビジョン受像機であり、制御データ生成手段は、タッチパネルシートへのタッピング操作と、タッチパネルシート上の直交するＸ、Ｙ方向の移動操作の３種類のジェスチャー入力のいずれかにそれぞれ対応させて、テレビジョン受像機の電源、音量及びチャンネル切り替えを制御する制御データを生成することを特徴とする。
【００２０】
タッチパネルシートへのタッピング操作と、タッチパネルシート上の直交するＸ、Ｙ方向の移動操作は、ケースの筒状本体を握る親指による入力操作であっても、各移動方向が９０度若しくは１８０度異なるので、移動軌跡からジェスチャー入力が明瞭に判定される。
【００２１】
また、テレビジョン受像機の通常の制御内容は、電源、音量及びチャンネル切り替えの３種類の制御であり、操作者が簡単に記憶可能な３種類のジェスチャー入力により、テレビジョン受像機の通常の遠隔制御を行うことができる。
【００２２】
請求項４のリモートコントロール送信機は、送信手段が、制御データをＲＦ信号で送信するＲＦ送信モジュールであることを特徴とする。
【００２３】
筒状本体を握ったケースの姿勢にかかわらず、制御データはＲＦ信号によって被制御機器へ送信される。
【発明の効果】
【００２４】
請求項１の発明によれば、筒状本体を握る手の親指が自然に入力操作位置となるので、手元での操作位置を確認することなく、被制御機器の動作を確認しながら入力操作を行うことができる。
【００２５】
また、制御データは、操作位置の移動軌跡から判定されるジェスチャー入力の入力操作によって生成されるので、手元での操作位置を確認することなく、意図しない操作位置を入力操作しても誤った制御データが生成されることがなく、操作者が意図する制御データが被制御機器へ送信される。
【００２６】
また、ケースに表示素子を取り付けないので、ケースを片手で握ることが可能な大きさに小型化できる。
【００２７】
請求項２の発明によれば、ケースを握った親指を薄板部への接触を意識せずに、薄板部に沿って異動させるだけで、移動軌跡に応じた制御内容で被制御機器を遠隔制御できる。
【００２８】
また、操作者の手で握ることが可能な大きさの筒状本体を利用して、大容量の乾電池などのバッテリーを収容するので、消費電力が大きい静電容量式タッチパネルを用いても、バッテリーを交換することなく長時間連続使用ができる。
【００２９】
これに加えて請求項３の発明によれば、ケースの筒状本体を握る親指を、タッチパネルシートへの方向へ移動させるタッピング操作と、タッチパネルシートと平行なＸ、Ｙ方向へ移動操作させるだけで、テレビジョン受像機を不自由なく遠隔制御できる。
【００３０】
また、３種類のジェスチャー入力の入力操作のみであるので、操作者が簡単に制御内容との関係を記憶でき、入力操作と制御内容の関係をケースの表示素子や、テレビジョン受像機のディスプレーへ表示することなく、制御内容を確認することなく、テレビジョン受像機の遠隔制御を行うことができる。
【００３１】
請求項４の発明によれば、赤外光で制御データを送信するリモートコントロール送信機のように、送信部を被制御機器へ向ける必要がなく、筒状本体を握ったケースの向きを意識することなく、制御データを被制御機器へ送信させることができる。
【図面の簡単な説明】
【００３２】
【図１】本発明の一実施の形態に係るリモートコントロール送信機（リモコン）１を裏面側の斜め前方から見た斜視図である。
【図２】ケース２内に収容されるリモコン１の要部構成を示す斜視図である。
【図３】タッチパネルシート５１の拡大図である。
【図４】リモコン１の要部構成を示すブロック図である。
【図５】リモコン１の使用状態を示す斜視図である。
【図６】従来のリモートコントロール送信機１００の平面図である。
【発明を実施するための形態】
【００３３】
以下、本発明に係るリモートコントロール送信機（以下、リモコンという）１を、テレビジョン受像機の動作を遠隔制御するリモコン１として、図１乃至図５を用いて説明する。図１は、リモコン１を裏面側の斜め前方から見た斜視図、図２は、ケース２内に収容されるリモコン１の要部構成を示す斜視図、図３は、タッチパネルシート５１の拡大図、図４は、リモコン１の要部構成の関係を示すブロック図、図５は、リモコン１の使用状態を示す斜視図であり、以下、図５のＺ方向を上下方向と、Ｘ＋方向を右方と、Ｘ−方向を左方と、Ｙ＋方向を前方と、Ｙ−方向を後方として、リモコン１の各部を説明する。
【００３４】
図中２は、合成樹脂製の絶縁ケースであり、底面より平面の短手方向幅がやや幅広の４角柱の筒状として片手で握り易い形状に形成された筒状本体２１と、筒状本体２１の前方に一体に支持された薄板部２２とから構成される。筒状本体２１は、後述する２個のバッテリー３、３を前後方向に収容可能な長さとした細長桶上の下ケース２１ａと、下ケース２１ａの開口する上面を覆う上ケース２１ｂとからなり、両者は、ネジ止めなどの固定手段で固定される。薄板部２２は、筒状本体２１の前面の下ケース２１ａと上ケース２１ｂとの間から、筒状本体２１の平面と平行に前方に向かって突出するように取り付けられ、下ケース２１ａと上ケース２１ｂとを固定する際に、下ケース２１ａと上ケース２１ｂとの間で挟持され、筒状本体２１に一体に組み立てられる。ケース２の全体が一体に組み立てられた状態で、図５に示すように、筒状本体２１の前方を握った操作者の親指は、自然に薄板部２２の平面に臨むようになっている。
【００３５】
筒状本体２１の中空内部には、上ケース２１ｂに沿ってプリント配線基板４が水平に支持され、プリント配線基板４で仕切られたケース２内の下部は、リモコン１の各部に電源を供給とする２個のバッテリー３、３を収容するバッテリー収容室となっている。バッテリー３は、消耗した後に交換可能な乾電池であり、消費電力が比較的大きい後述の静電容量式タッチパネル５であっても長時間動作可能な充分な容量を有しているが、バッテリー３が消耗した際には、バッテリー収容室の後壁を形成する下ケース２１ａの後背面に上辺をヒンジ結合した裏蓋２１ｃを開けて交換可能となっている。
【００３６】
静電容量式タッチパネル５は、薄板部２２の平面上に形成された導電性のタッチパネルシート５１と、タッチパネルシート５１上の特定位置での浮遊容量の増加から、タッチパネルシート５１への入力操作と入力操作位置を検出する操作検出モジュール５２とからなっている。タッチパネルシート５１は、図２、図３に示すように、直交するＸＹ方向に沿って３行３列のマトリックス状に薄板部２２の平面上に形成された９枚の電極シート５１１１〜５１３３からなり、それぞれ引き出しパターンを介して操作検出モジュール５２に接続してる。電極シート５１１１〜５１３３の全体は、摩耗などによる損傷を防ぐため、平面方向にそって誘電率の等しい薄膜のカバーシート（図示せず）で覆われ、カバーシートの表面が、指を接近させ、若しくは接触させてなぞる入力操作面５１ａとなっている。
【００３７】
プリント配線基板４には、図４の４で囲われる破線枠内の各電子部品が実装されている。操作者の指を特定の電極シート５１１１〜５１３３へ接近させると、その接近した位置の電極シートについての浮遊容量が増加する。操作検出モジュール５２は、上記９枚の電極シート５１１１〜５１３３の浮遊容量の増減を周期的に監視し、周囲の電極シートに比較して最も浮遊容量が増加した電極シートを検出した場合に、検出している限り、周期的にその電極シートの位置を、入力操作位置データとしてＭＰＵ６へ出力する。尚、この操作検出モジュール５２の機能は、後述のＭＰＵ６内に内蔵するものであってもよい。
【００３８】
制御データ生成手段として機能するＭＰＵ６は、操作検出モジュール５２から入力操作位置データが入力される毎に、上記周期より充分長い所定判定時間（例えば５００ｍｓｅｃ）中のその入力操作位置データを比較し、所定判定時間以上そのデータに変化がなければ、操作者が意図するジェスチャー入力は行われていないものと判定し、その入力を無視する。
【００３９】
また、所定判定時間内に入力操作位置データの変化があった場合には、その変化の内容に応じてテレビジョン受像機の動作を制御する以下の制御データを生成する。ここでは、特定の電極シートの位置を示す入力操作位置データが、所定判定時間内に途絶えた場合には、操作者が、一度その電極シートに接近させた指を再び離すタッピング操作を行ったものと判定して、テレビジョン受像機の電源をＯＮ、ＯＦＦ制御する制御データを生成する。電源制御の制御データは、タッピング操作と判定する毎に交互にＯＮ、ＯＦＦ制御する制御データを生成し、従って、電源が入っていないテレビジョン受像機に対して、リモコン１の入力操作面５１ａをタッピング操作すると、ＯＮ制御する制御データが送信されて電源が入り、電源が入っているテレビジョン受像機に対して、リモコン１の入力操作面５１ａをタッピング操作すると、ＯＦＦ制御する制御データが送信されて電源がＯＦＦとなる。
【００４０】
また、連続して入力される入力操作位置データが、所定判定時間より短いほぼ一定の時間間隔で操作位置が一方向に移動することを示している場合には、その方向へジェスチャー入力があったものと判定する。例えば、電極シート５１ｍｎ（ｍ、ｎは、１から３の自然数）への入力操作の入力操作位置データを５１ｍｎで表すものとして、一定の時間間隔で、５１ｍｎのｍが一定でｎが１から３へ増加する入力操作位置データが入力された場合には、Ｘ＋方向（右方向）へのジェスチャー入力と判定し、音量を増加させる制御データを、逆にｍが一定でｎが３から１へ減少する入力操作位置データが入力された場合には、Ｘ−方向（左方向）へのジェスチャー入力と判定し、音量を減少させる制御データを生成する。更に、一定の時間間隔で、５１ｍｎのｎが一定でｍが１から３へ増加する入力操作位置データが入力された場合には、Ｙ−方向（後方）へのジェスチャー入力と判定し、受信チャンネル番号を下げる制御データを生成し、ｎが一定でｍが３から１へ減少する入力操作位置データが入力された場合には、Ｙ＋方向（前方）へのジェスチャー入力と判定し、受信チャンネル番号を上げる制御データを生成する。
【００４１】
ＭＰＵ６は、ジェスチャー入力に応じた制御データを生成すると、ＲＦ送信モジュール７へ送信する。ＲＦ送信モジュール７は、ＭＰＵ６から入力される制御データで変調したＲＦ信号を送信アンテナ８から送信し、テレビジョン受像器へ制御データを含むＲＦ信号が送信される。
【００４２】
尚、ＭＰＵ６に接続するＲＯＭ９は、ＭＰＵ６、ＲＦ送信モジュール７、操作検出モジュール５２等の各部の動作を制御するプログラム、制御データ、ＲＦ信号の送信フォーマットなどを記憶し、ＲＡＭ１０は、ＭＰＵ６の動作中に上記プログラムやデータを一時記憶する。
【００４３】
以下、このように構成されたリモコン１の動作を説明する。被制御機器であるテレビジョン受像機の電源をＯＮ制御する場合には、操作者はリモコン１の筒状本体２１の前方を握る。これにより、筒状本体２１を握った手の親指は、図４に示すように、薄板部２２の上方に位置し、入力操作面５１ａに親指を接近させた後、素早く遠ざけるタッピング操作を行うと、接近させたいずれかの電極シートの浮遊容量は増加した後、所定判定時間内に低下し、操作検出モジュール５２からＭＰＵ６へ入力される入力操作位置データが、所定判定時間内に途絶える。これにより、ＭＰＵ６は、タッピング操作のジェスチャー入力があったと判定し、初期状態で、電源ＯＮとする制御データを生成し、ＲＦ送信モジュール７へ出力する。その結果、電源をＯＮとする制御データを含むＲＦ信号がテレビジョン受像機に送信され、テレビジョン受像機は、受信したＲＦ信号を復調して得られる制御データから電源をＯＮとする動作を実行する。
【００４４】
その後、ＭＰＵ６は、電源をＯＮとする制御データをＲＦ送信モジュール７へ出力した後に、再び同様の入力操作からタッピング操作のジェスチャー入力があったと判定したときには、電源をＯＦＦとする制御データを生成し、テレビジョン受像機の電源は、ＯＦＦ制御される。
【００４５】
また、入力操作面５１ａ上で、操作者の親指を右方向へなぞると、一定時間間隔で入力操作位置が右方向へ移動する入力操作位置データがＭＰＵ６に入力され、ＭＰＵ６は、この入力操作位置データの変化からＸ＋方向へのジェスチャー入力と判定して、音量を増加させる制御データを生成する。操作者は、親指を繰り返して右方向へなぞる毎に、新たな音量を増加させる制御データがＲＦ送信モジュール７よりテレビジョン受像機に送信され、テレビジョン受像機は、右方向へ親指を移動させる回数に応じて音量が次第に増加する。尚、右方向へのジェスチャー入力を繰り返す間には、親指を左側へ戻す入力操作が介在するが、この間の操作は入力操作面５１ａから離して行われるので、その間の浮遊容量の増加量は、その直前のジェスチャー入力による増加量に比べて小さい。このことから、操作検出モジュール５２では、特定の電極シート５１ｍ２への入力操作を検出してもこれを無視し、入力操作位置データ５１ｍ２をＭＰＵ６へ出力しない。その結果、ＭＰＵ６に入力される入力操作位置データは、ジェスチャー入力と意識しない移動操作中に５１ｍ３から５１ｍ１へ変化するが、中間の５１ｍ２が抜け、隣り合う電極シートの操作位置データが連続して変化するものではないので、親指を左側へ戻す移動操作は、ジェスチャー入力と判定されない。
【００４６】
一方、入力操作面５１ａ上で、操作者の親指を入力操作面５１ａに接近させて左方向へなぞると、一定時間間隔で入力操作位置が左方向へ移動する入力操作位置データがＭＰＵ６に入力され、ＭＰＵ６は、Ｘ−方向へのジェスチャー入力と判定して、音量を減少させる制御データを生成し、テレビジョン受像機は、音量減少制御される。同様に、操作者の親指を入力操作面５１ａ上で後方（Ｙ−方向）へなぞると、ＭＰＵ６は、受信チャンネル番号を下げる制御データを生成して、テレビジョン受像機は、受信チャンネルを下げ、前方（Ｙ＋方向）へなぞると、受信チャンネル番号を上げる制御データを生成し、テレビジョン受像機の受信チャンネルは上げられる。
【００４７】
これらのＸ−、Ｙ−、Ｙ＋方向へのジェスチャー入力を繰り返す毎に、そのジェスチャー入力に応じた新たな制御データがＰＭＵ６で生成され、テレビ順受像機を同一の制御データで繰り返し制御する。この繰り返しジェスチャー入力において、繰り返しジェスチャー入力の間で親指を初期操作位置へ戻す移動操作では、その中間の操作位置データが出力されず、ジェスチャーと判定されないことは、上述のＸ＋方向のジェスチャー入力と同様である。
【００４８】
テレビジョン受像機に対して制御が必要な動作は、この他にも種々の動作があるが、基本動作は、上述の電源と音量、受信チャンネルに関する動作であり、本実施の形態に係るリモコン１のみで、日常、不都合なくテレビジョン受像機を遠隔制御することができる。その他の制御が必要な特殊動作については、直接テレビジョン受像機に対して入力操作を行うか、別の詳細な動作まで遠隔制御が可能なリモートコントロール送信機を用意し、必要な場合にのみこのリモートコントロール送信機を用いてもよい。
【００４９】
上述の実施の形態では、静電容量式タッチパネル５を用いたが、操作位置と入力操作が判定できる入力操作手段であれば抵抗感圧式タブレットなどの他の方式の入力操作手段を用いてもよい。
【００５０】
更に、上述の実施の形態では、ＲＦ送信モジュールを用いて、制御データを無線信号で送信したが、制御データで変調した赤外制御信号を被制御機器へ送信し、制御データを送信するものであってもよい。
【００５１】
更に、薄板部２２は、絶縁材であれば、透明な材料など種々のプラスチック材料、ガラスなどで形成してもよく、筒状本体２１と同一材料で筒状本体２１の一部と一体に成形するものであってよい。
【産業上の利用可能性】
【００５２】
本発明は、透明保護フィルターで保護される発光素子から光制御信号を発光し、被制御機器を光制御信号で遠隔制御するリモートコントロール送信機に適している。
【符号の説明】
【００５３】
１      リモートコントロール送信機（リモコン）
２      ケース
３      バッテリー
５      入力操作手段（静電容量式タッチパネル）
６      制御データ生成手段（ＭＰＵ）
７      送信手段（ＲＦ送信モジュール）
８      送信手段（送信アンテナ）
２１    筒状本体
２２    薄板部
５１    タッチパネルシート
【図１】
2010193107.tif 000003
【図２】
2010193107.tif 000004
【図３】
2010193107.tif 000005
【図４】
2010193107.tif 000006
【図５】
2010193107.tif 000007
【図６】
2010193107.tif 000008